(57)【特許請求の範囲】
【請求項１】
鋳物砂を鋳型造型に使用できるように処理する鋳物砂の処理設備であって、
供給される前記鋳物砂を一時的に貯蔵する砂ホッパと、該砂ホッパに貯蔵された前記鋳物砂を搬送する砂搬送コンベヤと、該砂搬送コンベヤで搬送中の前記鋳物砂に散水する散水手段と、前記砂搬送コンベヤから供給される散水された前記鋳物砂を撹拌しながら冷却する砂冷却装置と、を具備し、
前記砂ホッパには、該砂ホッパ内における上位部の前記鋳物砂の有無を検知する上位部砂検知手段と、該砂ホッパ内における下位部の前記鋳物砂の有無を検知する下位部砂検知手段と、該砂ホッパ内における前記上位部と下位部の間の位置である中位部の前記鋳物砂の有無を検知する中位部砂検知手段と、が装着されており、
前記砂搬送コンベヤは、インバータにより回転数が可変できる駆動モータによって駆動されるようになっており、該インバータに電気的に接続された前記中位部砂検知手段からの信号に基づいて、該インバータにより前記駆動モータの回転数を可変させることで、前記砂搬送コンベヤにおける前記鋳物砂の搬送速度を可変させることを特徴とする鋳物砂の処理設備。
【請求項２】
前記砂搬送コンベヤにおける前記鋳物砂の搬送速度の可変に伴って、前記砂搬送コンベヤで搬送中の前記鋳物砂に散水する散水量を可変させることを特徴とする請求項１記載の鋳物砂の処理設備。
【請求項３】
請求項１記載の鋳物砂の処理設備を用いた鋳物砂の処理方法であって、前記砂ホッパに前記鋳物砂を供給する工程と、前記下位部砂検知手段が前記鋳物砂の有りを検知したら前記砂搬送コンベヤを第１速度で駆動させる工程と、前記中位部砂検知手段が前記鋳物砂の有りを検知したら前記砂搬送コンベヤを前記第１速度より速い第２速度で駆動させる工程と、前記中位部砂検知手段が前記鋳物砂の無しを検知したら前記砂搬送コンベヤを前記第１速度で駆動させる工程と、前記下位部砂検知手段が前記鋳物砂の無しを検知したら前記砂搬送コンベヤの駆動を停止させる工程と、を有することを特徴とする鋳物砂の処理方法。
【発明の詳細な説明】
【技術分野】
【０００１】
本発明は、造型された鋳型へ注湯後、鋳型ばらしをして回収された鋳物砂を、再度、鋳型造型に使用できるように処理する鋳物砂の処理設備及び処理方法に関する。
【背景技術】
【０００２】
従来、鋳物砂の処理設備においては、鋳物砂に水分を適宜添加するとともに撹拌式の砂冷却装置で鋳物砂を冷却するようにしている。そして、この鋳物砂への水分の添加は、砂冷却装置に投入される前のコンベヤ上の鋳物砂の温度を測定し、その測定値に対応した量の水分を添加することによって行われている（例えば、特許文献1参照）。なお、従来は、砂冷却装置に投入される前のコンベヤとして、一定速度のベルトコンベヤを採用している。
【先行技術文献】
【特許文献】
【０００３】
【特許文献１】特開昭５７−１７１５４１号公報
【発明の概要】
【発明が解決しようとする課題】
【０００４】
しかし、注湯済鋳型のサンドメタル比、生産計画の変更などにより、回収されて上述のベルトコンベヤに供給される鋳物砂の量は変動する。そうすると、該ベルトコンベヤに供給される鋳物砂の量によっては、ベルトコンベヤの停止時間が長くなったり、ベルトコンベヤの起動−停止の頻度が多くなったりする。このため、砂冷却装置に投入される鋳物砂の量が平準化されず、該鋳物砂の冷却、及び、水分の均一化が低下するという問題があった。
【０００５】
本発明は、上記の問題に鑑みて成されたもので、砂冷却装置に投入される鋳物砂の量を平準化することにより、該鋳物砂の冷却、及び、水分の均一化を向上させることができる鋳物砂の処理設備及び処理方法を提供することを目的とする。
【課題を解決するための手段】
【０００６】
上記の目的を達成するために本発明の鋳物砂の処理設備は、鋳物砂を鋳型造型に使用できるように処理する鋳物砂の処理設備であって、供給される前記鋳物砂を一時的に貯蔵する砂ホッパと、該砂ホッパに貯蔵された前記鋳物砂を搬送する砂搬送コンベヤと、該砂搬送コンベヤで搬送中の前記鋳物砂に散水する散水手段と、前記砂搬送コンベヤから供給される散水された前記鋳物砂を撹拌しながら冷却する砂冷却装置と、を具備し、前記砂ホッパには、該砂ホッパ内における上位部の前記鋳物砂の有無を検知する上位部砂検知手段と、該砂ホッパ内における下位部の前記鋳物砂の有無を検知する下位部砂検知手段と、該砂ホッパ内における前記上位部と下位部の間の位置である中位部の前記鋳物砂の有無を検知する中位部砂検知手段と、が装着されており、前記砂搬送コンベヤは、インバータにより回転数が可変できる駆動モータによって駆動されるようになっており、該インバータに電気的に接続された前記中位部砂検知手段からの信号に基づいて、該インバータにより前記駆動モータの回転数を可変させることで、前記砂搬送コンベヤにおける前記鋳物砂の搬送速度を可変させることを特徴とする。
【０００８】
さらに本発明の鋳物砂の処理設備は、前記砂搬送コンベヤにおける前記鋳物砂の搬送速度の可変に伴って、前記砂搬送コンベヤで搬送中の前記鋳物砂に散水する散水量を可変させることを特徴とする。
【０００９】
また上記の目的を達成するために本発明の鋳物砂の処理方法は、請求項１記載の鋳物砂の処理設備を用いた鋳物砂の処理方法であって、前記砂ホッパに前記鋳物砂を供給する工程と、前記下位部砂検知手段が前記鋳物砂の有りを検知したら前記砂搬送コンベヤを第１速度で駆動させる工程と、前記中位部砂検知手段が前記鋳物砂の有りを検知したら前記砂搬送コンベヤを前記第１速度より速い第２速度で駆動させる工程と、前記中位部砂検知手段が前記鋳物砂の無しを検知したら前記砂搬送コンベヤを前記第１速度で駆動させる工程と、前記下位部砂検知手段が前記鋳物砂の無しを検知したら前記砂搬送コンベヤの駆動を停止させる工程と、を有することを特徴とする。
【発明の効果】
【００１０】
本発明は、鋳物砂を鋳型造型に使用できるように処理する鋳物砂の処理設備であって、供給される前記鋳物砂を一時的に貯蔵する砂ホッパと、該砂ホッパに貯蔵された前記鋳物砂を搬送する砂搬送コンベヤと、該砂搬送コンベヤで搬送中の前記鋳物砂に散水する散水手段と、前記砂搬送コンベヤから供給される散水された前記鋳物砂を撹拌しながら冷却する砂冷却装置と、を具備し、前記砂ホッパには、該砂ホッパ内における上位部の前記鋳物砂の有無を検知する上位部砂検知手段と、該砂ホッパ内における下位部の前記鋳物砂の有無を検知する下位部砂検知手段と、該砂ホッパ内における前記上位部と下位部の間の位置である中位部の前記鋳物砂の有無を検知する中位部砂検知手段と、が装着されており、前記砂搬送コンベヤは、インバータにより回転数が可変できる駆動モータによって駆動されるようになっており、該インバータに電気的に接続された前記中位部砂検知手段からの信号に基づいて、該インバータにより前記駆動モータの回転数を可変させることで、前記砂搬送コンベヤにおける前記鋳物砂の搬送速度を可変させるようにしたから、砂冷却装置に投入される鋳物砂の量が平準化され、該鋳物砂の冷却、及び、水分の均一化を向上させることができる等種々の効果がある。
【図面の簡単な説明】
【００１１】
【図１】本発明の実施形態を示す概要構成図である。
【図２】図１におけるＡ−Ａ矢視図である。
【発明を実施するための形態】
【００１２】
以下、本発明の実施の形態を図面に基づいて詳しく説明する。図１において、符号１は、鋳物砂（本実施形態では生型砂）を鋳型造型に使用できるように処理する鋳物砂の処理設備内に配設された砂ホッパである。なお本発明において鋳物砂の処理設備とは、より詳述すると、造型された鋳型へ注湯後、鋳型ばらしをして回収された鋳物砂を、再度、鋳型造型に使用できるように処理する設備のことを言う。なお、ここでいう鋳型ばらしとは、注湯済みの鋳型を崩壊させて製品と鋳物砂に分けることを言う。
【００１３】
砂ホッパ１は、図示されない砂供給手段（例えば、ベルトコンベヤ又はバケットエレベータ）により供給される鋳物砂を一時的に貯蔵するものである。そして、砂ホッパ１には、砂ホッパ１内における上位部の鋳物砂の有無を検知する上位部砂検知手段２が装着されている、また、砂ホッパ１内における下位部の鋳物砂の有無を検知する下位部砂検知手段３が装着されている。さらに、砂ホッパ１内における上位部と下位部の間の位置である中位部の鋳物砂の有無を検知する中位部砂検知手段４が装着されている。なお上位部砂検知手段２、下位部砂検知手段３及び中位部砂検知手段４は、本実施形態ではレベルスイッチを用いており、三つとも上下方向の位置が調整可能になっている。
【００１４】
そして、砂ホッパ１における砂貯蔵部１ａの下部には、砂ホッパ１に貯蔵された鋳物砂を搬送する砂搬送コンベヤ５が配設されており、砂搬送コンベヤ５は本実施形態ではベルトコンベヤを用いている。砂搬送コンベヤ５は先端プーリ５ａと後端プーリ５ｂにベルト５ｃが掛け回された構成にされており、駆動モータ５ｄで先端プーリ５ａを回転させることによってベルト５ｃが回転するようになっている。なお駆動モータ５ｄと先端プーリ５ａは、図示されないチェーンホイール及びチェーンにより動力が伝達されるようになっている。
【００１５】
そして、砂搬送コンベヤ５における先端プーリ５ａの下部にはシュート６が連結されており、シュート６の先端は砂搬送コンベヤ５の下方に配設された砂冷却装置７の一端側面に連結されている。そして、砂冷却装置７の一端側面にはさらに、ダクト８が連結されており、ダクト８の先端は集塵機９に連結されている。
【００１６】
また、符号１０は砂搬送コンベヤ５で搬送中の鋳物砂の水分を計測する水分センサである。そして、符号１１は砂搬送コンベヤ５で搬送中の鋳物砂の温度を計測する温度センサである。そして、符号１２は砂搬送コンベヤ５におけるベルト５ｃ上の鋳物砂の有無を検知する砂検知センサである。水分センサ１０、温度センサ１１及び砂検知センサ１２は各々、ベルト５ｃの上方に配設されている。
【００１７】
そして、ベルト５ｃの上方における水分センサ１０の下流には、砂搬送コンベヤ５で搬送中の鋳物砂に散水する散水手段１３が配設されている。そして、散水手段１３は水配管１４に連通接続されており、水配管１４の基端部１４ａは図示されない水源に接続されている。また、水配管１４の途中には開閉弁２１、電磁流量計１５及び比例電磁弁１６が組み込まれている。
【００１８】
そして、ベルト５ｃの上方における散水手段１３の下流には、砂搬送コンベヤ５で搬送中の鋳物砂を撹拌する撹拌手段１７が配設されている。そして、駆動モータ５ｄはインバータ１８に電気的に接続されており、インバータ１８により回転数が可変できるようになっている。また、下位部砂検知手段３及び中位部砂検知手段４も各々、インバータ１８に電気的に接続されている。
【００１９】
そして、インバータ１８は、制御盤１９内に組み込まれたシーケンサ（プログラマブルロジックコントローラ）２０に電気的に接続されている。また、電磁流量計１５及び比例電磁弁１６も各々、シーケンサ２０に電気的に接続されている。
【００２０】
また、砂冷却装置７の詳細について説明する。砂冷却装置７は内部に回転ドラム７ａを備えており、回転ドラム７ａはモータ７ｂで主軸７ｃを回転させることにより、図２に示す矢印方向に回転されるようになっている。そして、回転ドラム７ａの内周面には鋳物砂を撹拌する撹拌部材７ｄが複数、固定されている。この撹拌部材７ｄは、鋳物砂を上方へ持ち上げ、落下させることで空気により多く触れさせ冷却を促進させるものである。
【００２１】
また、砂冷却装置７の他端側面にはベンチレータ７ｅが設けられており、集塵機９で砂冷却装置７内を吸引した際には、このベンチレータ７ｅから大気が導入されるようになっている。そして、砂冷却装置７の他端側の底部には砂排出口７ｆが設けられており、回転ドラム７ａ内で撹拌しながら冷却した鋳物砂は、この砂排出口７ｆから排出される。なお排出された鋳物砂は図示されないホッパ又はシュートを介して次工程に送られる。
【００２２】
このように構成されたものの作動について説明する。まず、砂冷却装置７、集塵機９及び撹拌手段１７を作動させておく。そして、上述した砂供給手段により、砂ホッパ１の上方から空の砂ホッパ１内に鋳物砂を供給する。なお該砂供給手段は間欠的に作動されるようになっているため、ここでの砂供給は間欠的に行われる。
【００２３】
そして、砂ホッパ１内に鋳物砂が供給されていくと、砂ホッパ１内に鋳物砂が徐々に貯蔵されていく。そうすると、まず、下位部砂検知手段３が鋳物砂の「有り」を検知（レベルスイッチ「ＯＮ」信号を検知）する。そして、下位部砂検知手段３が鋳物砂の「有り」を検知したらタイマーで所定時間（本実施形態では３０秒）カウント後、駆動モータ５ｄを作動させて砂搬送コンベヤ５を第１速度で駆動させる。
【００２４】
なお、ここでいう第１速度とは、比較的、低速のこと言い、後述する第２速度より遅い速度である。また、下位部砂検知手段３で検知された鋳物砂「有り」の信号はインバータ１８に送信されるようになっており、この信号に基づき、砂搬送コンベヤ５が第１速度になるように、インバータ１８により駆動モータ５ｄの回転数（単位時間あたりの回転数）を設定する。駆動モータ５ｄの回転数の設定、変更はインバータ１８の周波数を設定、変更することで実現できる。なお本実施形態では、上述の第１速度は１６．５ｍ／ｍｉｎであり、該第１速度のときの駆動モータ５ｄの回転数は１４．８ｒｐｍである。
【００２５】
そして、砂搬送コンベヤ５の第１速度での駆動が開始されたら、砂ホッパ１内の鋳物砂が切り出され、砂搬送コンベヤ５での鋳物砂の搬送が開始される。次に、砂検知センサ１２でベルト５ｃ上に鋳物砂が有ることを検知した後、水分センサ１０及び温度センサ１１で搬送中の鋳物砂の水分及び温度を計測する。
【００２６】
砂冷却装置７から排出された鋳物砂の目標水分及び目標温度は予め決まっている。したがって、この目標水分及び目標温度にするためには、搬送中の鋳物砂にどれだけの量の散水をしなければならないかを把握する必要がある。この必要散水量を、該計測された搬送中の鋳物砂の水分及び温度に基づき、シーケンサ２０で演算する。そして、シーケンサ２０からの指令に基づき、比例電磁弁１６の開度を調整（変更）する。ここでは、散水手段１３から散水される水の量が、該演算された必要散水量になるような比例電磁弁１６の開度に調整される。
【００２７】
開閉弁２１は、砂搬送コンベヤ５の駆動、及び、砂検知センサ１２の鋳物砂「有り」の検知という二つの条件を満たしている場合、開くようになっている。このため、搬送中の鋳物砂に該演算された必要散水量の水が散水手段１３から散水される。なお、水配管１４を流れる水の量は電磁流量計１５で計測されるようになっている。また、該演算された必要散水量がゼロであった場合、即ち、散水する必要がない場合は、比例電磁弁１６が閉じられる。
【００２８】
そして、散水された鋳物砂は砂搬送コンベヤ５での搬送中に撹拌手段１７で撹拌された後、砂搬送コンベヤ５の先端から落下し、シュート６を介して砂冷却装置７内に供給される。そして、砂冷却装置７内に供給された鋳物砂は、回転ドラム７ａの回転に伴って、回転ドラム７ａ内で撹拌されながら該回転ドラム７ａの先端に向かって進んでいく。その間、集塵機による吸引によりベンチレータ７ｅから大気が導入される。これにより水分を蒸発させ、その気化熱によって鋳物砂が冷却される。そして、砂排出口７ｆまで到達した鋳物砂は、該砂排出口７ｆから排出され、上述したホッパ又はシュートを介して次工程に送られる。
【００２９】
また、砂ホッパ１内に鋳物砂がさらに貯蔵されていくと、中位部砂検知手段４が鋳物砂の「有り」を検知（レベルスイッチ「ＯＮ」信号を検知）する。そして、中位部砂検知手段４が鋳物砂の「有り」を検知したらタイマーで所定時間（本実施形態では１０秒）カウント後、駆動モータ５ｄの回転数を可変させて砂搬送コンベヤ５を第２速度で駆動させる。
【００３０】
なお、ここでいう第２速度とは、比較的、高速のこと言い、上述した第１速度より速い速度である。中位部砂検知手段４で検知された鋳物砂「有り」の信号はインバータ１８に送信されるようになっており、この信号に基づき、砂搬送コンベヤ５が第２速度になるように、インバータ１８により駆動モータ５ｄの回転数を可変させる。本実施形態では、上述の第２速度は３３ｍ／ｍｉｎであり、該第２速度のときの駆動モータ５ｄの回転数は２９．６ｒｐｍである。
【００３１】
そして、砂搬送コンベヤ５における鋳物砂の搬送速度の可変に伴って、砂搬送コンベヤ５で搬送中の鋳物砂に散水する散水量を可変させる。この点につき、詳述する。シーケンサ２０は、インバータ１８から送信される信号に基づき、砂搬送コンベヤ５が第２速度である場合の必要散水量を演算する。そして、シーケンサ２０からの指令に基づき、比例電磁弁１６の開度を調整する。
【００３２】
ここでは、散水手段１３から散水される水の量が、該演算された砂搬送コンベヤ５が第２速度である場合の必要散水量になるような比例電磁弁１６の開度に調整される。なお、砂搬送コンベヤ５の搬送速度が速いほど、搬送される鋳物砂の量は多いから、必要散水量は多くなる。また、砂搬送コンベヤ５の搬送速度が遅いほど、搬送される鋳物砂の量は少ないから、必要散水量は少なくなる。
【００３３】
また、砂搬送コンベヤ５における鋳物砂の搬送を続けていくと、砂ホッパ１内の鋳物砂が徐々に減っていく。そうすると、中位部砂検知手段４が鋳物砂の「無し」を検知（レベルスイッチ「ＯＦＦ」信号を検知）する。そして、中位部砂検知手段４が鋳物砂の「無し」を検知したらタイマーで所定時間（本実施形態では１０秒）カウント後、駆動モータ５ｄの回転数を可変させて砂搬送コンベヤ５を上述の第１速度で駆動させる。
【００３４】
中位部砂検知手段４で検知された鋳物砂「無し」の信号はインバータ１８に送信されるようになっており、この信号に基づき、砂搬送コンベヤ５が上述の第１速度になるように、インバータ１８により駆動モータ５ｄの回転数を可変させる。
【００３５】
そして、砂搬送コンベヤ５における鋳物砂の搬送速度の可変に伴って、砂搬送コンベヤ５で搬送中の鋳物砂に散水する散水量を可変させる。シーケンサ２０は、インバータ１８から送信される信号に基づき、砂搬送コンベヤ５が上述の第１速度である場合の必要散水量を演算する。そして、シーケンサ２０からの指令に基づき、比例電磁弁１６の開度を調整する。ここでは、散水手段１３から散水される水の量が、該演算された砂搬送コンベヤ５が上述の第１速度である場合の必要散水量になるような比例電磁弁１６の開度に調整される。
【００３６】
そして、砂ホッパ１内の鋳物砂が中位部砂検知手段４の近辺で推移している場合、中位部砂検知手段４で鋳物砂の「有り」又は「無し」を適宜検知することになる。この場合、上述した中位部砂検知手段４が鋳物砂の「有り」を検知した場合の作動、及び、中位部砂検知手段４が鋳物砂の「無し」を検知した場合の作動が繰り返される。
【００３７】
また、砂搬送コンベヤ５における鋳物砂の搬送をさらに続けていくと、砂ホッパ１内の鋳物砂がさらに減っていく。そうすると、下位部砂検知手段３が鋳物砂の「無し」を検知（レベルスイッチ「ＯＦＦ」信号を検知）する。そして、下位部砂検知手段３が鋳物砂の「無し」を検知したらタイマーで所定時間（本実施形態では３秒）カウント後、駆動モータ５ｄを停止させて砂搬送コンベヤ５の駆動を停止させる。下位部砂検知手段３で検知された鋳物砂「無し」の信号はインバータ１８に送信され、この信号に基づき、駆動モータ５ｄを停止させる。そして、駆動モータ５ｄの停止に伴い、開閉弁２１が閉じられる。
【００３８】
なお、上位部砂検知手段２は、砂ホッパ１内から鋳物砂が溢れることのないよう、砂ホッパ１内で貯蔵される鋳物砂の上限を検知するものである。したがって、上位部砂検知手段２が鋳物砂の「有り」を検知（レベルスイッチ「ＯＮ」信号を検知）したら、上述した砂供給手段は強制的に停止されるようになっている。
【００３９】
なお本発明では、砂ホッパ１には、砂ホッパ１内における上位部の鋳物砂の有無を検知する上位部砂検知手段２と、砂ホッパ１内における下位部の鋳物砂の有無を検知する下位部砂検知手段３と、砂ホッパ１内における上位部と下位部の間の位置である中位部の鋳物砂の有無を検知する中位部砂検知手段４と、が装着されており、中位部砂検知手段４からの信号に基づいて砂搬送コンベヤ５における鋳物砂の搬送速度を可変させるようにしている。
【００４０】
本構成によれば、回収されて砂ホッパ１内に供給される鋳物砂の量が変動しても、中位部砂検知手段４からの信号に基づいて砂搬送コンベヤ５における鋳物砂の搬送速度が可変されることにより、砂搬送コンベヤ５の稼動時間が長くなるため、砂搬送コンベヤ５の停止時間を短くすることができる。また、砂搬送コンベヤ５の起動−停止の頻度を少なくすることができる。このため、砂冷却装置７に投入される鋳物砂の量が平準化され、該鋳物砂の冷却、及び、水分の均一化を向上させることができる。また、砂搬送コンベヤ５の起動−停止の頻度が少なくなるため、駆動モータ５ｄにかかる負荷が低減されるという利点もある。
【００４１】
また本発明では、砂搬送コンベヤ５は、インバータ１８により回転数が可変できる駆動モータ５ｄによって駆動されるようになっており、中位部砂検知手段４からの信号に基づいて、該インバータ１８により駆動モータ５ｄの回転数を可変させることで、砂搬送コンベヤ５における鋳物砂の搬送速度を可変させるようにしている。本構成によれば、砂搬送コンベヤ５における鋳物砂の搬送速度を容易に可変させることができるという利点がある。
【００４２】
さらに本発明では、砂搬送コンベヤ５における鋳物砂の搬送速度の可変に伴って、砂搬送コンベヤ５で搬送中の鋳物砂に散水する散水量を可変させるようにしている。本構成によれば、砂搬送コンベヤ５の搬送速度によって変わる、搬送される鋳物砂の量に対し、最適な量の散水を行うことができ、鋳物砂の水分の均一化をさらに向上させることができるという利点がある。
【００４３】
さらに本発明では、砂ホッパ１に鋳物砂を供給する工程と、下位部砂検知手段３が鋳物砂の有りを検知したら砂搬送コンベヤ５を第１速度で駆動させる工程と、中位部砂検知手段４が鋳物砂の有りを検知したら砂搬送コンベヤ５を第１速度より速い第２速度で駆動させる工程と、中位部砂検知手段４が鋳物砂の無しを検知したら砂搬送コンベヤ５を第１速度で駆動させる工程と、下位部砂検知手段３が鋳物砂の無しを検知したら砂搬送コンベヤ５の駆動を停止させる工程と、を有している。
【００４４】
本構成によれば、回収されて砂ホッパ１内に供給される鋳物砂の量が変動しても、中位部砂検知手段４からの信号に基づいて砂搬送コンベヤ５における鋳物砂の搬送速度が可変されることにより、砂搬送コンベヤ５の稼動時間が長くなるため、砂搬送コンベヤ５の停止時間を短くすることができる。また、砂搬送コンベヤ５の起動−停止の頻度を少なくすることができる。このため、砂冷却装置７に投入される鋳物砂の量が平準化され、該鋳物砂の冷却、及び、水分の均一化を向上させることができる。また、砂搬送コンベヤ５の起動−停止の頻度が少なくなるため、駆動モータ５ｄにかかる負荷が低減されるという利点もある。
【００４５】
なお本発明の実施形態では、下位部砂検知手段３が鋳物砂の「有り」又は「無し」を検知したらタイマーで所定時間カウント後、駆動モータ５ｄを作動又は停止させるようにしているが、これに限定されるものではなく、該タイマーで所定時間カウントする工程は省略してもよい。また、中位部砂検知手段４が鋳物砂の「有り」又は「無し」を検知したらタイマーで所定時間カウント後、駆動モータ５ｄの回転数を可変させるようにしているが、これに限定されるものではなく、該タイマーで所定時間カウントする工程は省略してもよい。
【００４６】
また本発明の実施形態では、砂搬送コンベヤ５としてベルトコンベヤを用いたが、これに限定されるものではなく、鋳物砂の搬送が可能なものであれば、その他のコンベヤを用いるようにしてもよい。
【符号の説明】
【００４７】
１  砂ホッパ
２  上位部砂検知手段
３  下位部砂検知手段
４  中位部砂検知手段
５  砂搬送コンベヤ
５ｄ  駆動モータ
７  砂冷却装置
１３  散水手段
１８  インバータ
【図１】
0006380849.tif 000002
【図２】
0006380849.tif 000003